(57)【特許請求の範囲】
【請求項１】
１２ページ以上からなる印刷出版物に複数個の広告物データをレイアウトするための割付装置であって、
前記広告物データを割り付けるための割付フォーマットを保存する保存部と、
オペレーターのデータ入力操作を受け付ける入力受付部と、
前記データ入力操作に基づき前記割付フォーマットに前記広告物データを割り付ける制御部と、を備え、
前記印刷出版物は、少なくとも１ケ月分の日めくりカレンダー、複数月分の月めくりカレンダー、もしくは日めくりカレンダーと月めくりカレンダーの両方の暦数字が印刷されるカレンダー紙面と、商品やサービスの広告が印刷される広告紙面とにより構成され、
前記広告紙面は、前記カレンダー紙面の裏面、または前記カレンダー紙面が印刷されない紙の表裏両面に割り付けられ、
前記割付フォーマットは、前記印刷出版物を丁合するためのページ番号、前記広告紙面に対して前記広告を割り付けするフレーム状の広告枠、および前記広告枠を特定するための版枠番号を有し、
前記割付フォーマットが複数の広告枠を有することにより、広告スポンサーから複数の広告掲載注文を受け付け可能とし、
前記版枠番号の一部に前記ページ番号を含ませるナンバリングによって、前記ページ番号と前記版枠番号とが対応付けされ、
前記版枠番号は、前記広告枠内に前記広告物データを割り付けることで広告番号に転換されて前記広告紙面に印刷されるように前記割付フォーマット上に配置され、
前記広告紙面の広告物姿勢は左右開き綴じ型となるように前記割付フォーマットが構成され、
前記カレンダー紙面のカレンダー暦数字姿勢は上下開き綴じ型となるように前記割付フォーマットが構成され、
前記広告紙面を前記カレンダー紙面の裏紙面に割り付ける構成とし、
前記広告紙面は、前記商品や前記サービスの販売日もしくは企業や商店に発生する開店開業日、周年記念日、閉店廃業日のうちの少なくとも１つの広告期日数字と、当該広告期日に行われるイベント情報を含み、
表裏に印刷される前記広告紙面と前記カレンダー紙面とにおいて前記広告期日数字と前記暦数字とを対応付けすることを特徴とする、カレンダーおよび広告の割付装置。
【請求項２】
請求項１に記載の割付装置、インターネットサーバー、スポンサー側端末、およびユーザー側端末により構成される配信システムであって、
前記インターネットサーバーに３６５個の暦数字のセルを有するカレンダーデータを設け、
前記スポンサー側端末から前記セルに前記イベント情報を入力可能とし、
前記広告紙面に記載された前記広告の内容と前記セルに入力されたイベント情報とを対応付けし、
前記イベント情報の期日と前記カレンダー紙面に表示される暦数字と前記インターネットサーバー上の暦数字と相互に対応付けし、
前記ユーザー側端末から前記イベント情報を閲覧可能とすることを特徴とするｗｅｂ配信システム。
【請求項３】
前記広告番号を広告取引および商品取引の商品受発注番号として前記インターネットサーバーに掲載し、
それぞれの広告物や商品の前記商品受発注番号を前記ユーザー側端末から閲覧可能とすることを特徴とする、請求項２に記載のｗｅｂ配信システム。
【請求項４】
３２枚紙の表裏６４ページに印刷および製本された印刷出版物であって、  前記印刷出版物は、少なくとも１ケ月分の日めくりカレンダー、複数月分の月めくりカレンダー、もしくは日めくりカレンダーと月めくりカレンダーの両方の暦数字が印刷されるカレンダー紙面と商品やサービスの広告が印刷される広告紙面とにより構成され、  前記広告紙面は、前記カレンダー紙面の裏面、または前記カレンダー紙面が印刷されない紙の表裏両面に印刷され、  前記広告紙面は、広告を割り付けるための割付フォーマットに基づき割り付けられ、  前記割付フォーマットは、前記印刷出版物を丁合するためのページ番号、前記広告紙面に対して前記広告を割り付けするフレーム状の広告枠、および前記広告枠を特定するための版枠番号を有し、  前記割付フォーマットに複数の広告枠が配列されることにより、商品やサービスのラインアップを可能とし、  前記版枠番号の一部に前記ページ番号を含むことにより前記ページ番号と前記版枠番号とが対応付けされ、  前記版枠番号は広告番号として前記広告紙面に印刷され、  前記広告紙面の読者が前記広告紙面の印字方向に合わせて前記印刷出版物を見たときに前記印刷出版物の一端を綴じる綴じ部が左側もしくは右側に配置されることにより前記印刷出版物が左右開きとなり、前記カレンダー紙面のユーザーが前記カレンダー紙面の印字方向に合わせて前記印刷出版物を見たときに前記綴じ部が上側に配置されることにより前記印刷出版物が上下開きとなり、  前記印刷出版物の綴じ部は、ファイルバインダー、ワイヤーリング、接着液、針金のうちの少なくとも１つを用いて綴じられ、 前記カレンダー紙面のカレンダー暦数字姿勢は上下開き綴じ型となるように前記割付フォーマットが構成され、 前記広告紙面を前記カレンダー紙面の裏紙面に割り付ける構成とし、 前記広告紙面は、前記商品や前記サービスの販売日もしくは企業や商店に発生する開店開業日、周年記念日、閉店廃業日のうちの少なくとも１つの広告期日数字と、当該広告期日に行われるイベント情報を含み、 表裏に印刷される前記広告紙面と前記カレンダー紙面とにおいて前記広告期日数字と前記暦数字とを対応付けすることを特徴とする、印刷出版物。
【請求項５】
前記印刷出版物の前記カレンダー紙面を、広告ガイド、カウントダウン数字、写真、地図、図面、文章のうちのいずれかまたは複数から構成される案内紙面に差し替えることを特徴とする、請求項１に記載のカレンダーおよび広告の割付装置。
【発明の詳細な説明】
【技術分野】
【０００１】
本発明は、企業や商店の商品、サービス等の案内目録の広告情報をカレンダーに媒介さ せることで、印刷出版物の割付、印刷、製本、配布および、広告情報のインターネット配信をするための編集および広告技術に関する。
【背景技術】
【０００２】
毎年度に印刷される卓上、または壁掛カレンダーでの広告形態は、暦数字のある紙面の余白部分に企業商店名を掲載した名入れカレンダー、および写真や案内文章等をカレンダー紙面上もしくは紙面裏に掲載して、有料または無料で配布されている。
【０００３】
なお、カレンダーの綴じ具、印刷物、媒体技術が特許文献１から４に記載されている。
【先行技術文献】
【特許文献】
【０００４】
【特許文献１】特許第５７２１１２０号（ＰＣＴ／ＪＰ２０１５／６７０９９）
【特許文献２】特許第５４１６８５５号（ＰＣＴ／ＪＰ２０１３／８４７９０）
【特許文献３】特許第５０２１０５９号（ＰＣＴ／ＪＰ２０１０／６３４３３）
【特許文献４】特許第４９１３２５３号
【発明の概要】
【発明が解決しようとする課題】
【０００５】
しかし、これら企業商店団体等の名称、商品、サービス等に関する案内情報を、自前の単独カレンダーで、不特定多数の人々に、広く配布、広告宣伝することは容易ではない。
ついては、複数の企業商店の案内広告やカタログ情報等を、広告期限と対応付けした上で編集／印刷／出版、配布、配信するための、暦数字を用いる広告技術が求められる。カレンダーの紙面の裏面に広告を印刷すること自体は、例えば特許文献４に開示されている。しかし、カレンダー紙面を含む印刷出版物に対して、どのように広告を割り付けるかを具体的に開示した技術はない。さらには、広告を割り付けするための広告枠に対してページ番号と対応した版枠番号を割り当てることによりカレンダー紙面の暦とを対応付けして広告紙面を構成するような技術はこれまでに全く存在しない。
【０００６】
そこで、本発明は、企業商店団体等の広告情報を容易に編集／印刷／出版、配布、配信するための印刷出版物、ｗｅｂ配信システム、および印刷出版物の割付フォーマット、割付装置、割付方法を提供することを目的とする。
【課題を解決するための手段】
【０００７】
従来の壁掛カレンダーの裏紙面は空白であって、見えない裏側に広告は掲載されない。稀に、裏紙面に上天綴じ方向で趣味の写真や文章を載せるが、産業利用する技術は無い。顧客や読者としては、広告物は煩わしいものであって、必要な時だけ見たいものである。
良い広告はattention・interest・desire・memory・actionのＡＩＤＭＡ５段階を実現するので、カレンダー紙上の広告は長い期間保存されて、良い果実をもたらす。
顧客読者に情報誌や商品カタログの広告冊子を呈してもすぐに紛失／破棄される。それを阻止する手段として、３２枚紙／６４ページにカレンダーと広告を併設する印刷出版物を供す。
【０００８】
本発明は、商品等の広告をカタログとしてカレンダー紙面の裏面、または表裏の空白紙面に編集印刷する。月刊誌の日めくり冊子は印刷紙面６４−日付紙面３１＝広告紙面３３ページ、年刊誌の月めくりカレンダー冊子では印刷面６４−月紙面１２＝広告紙面５１ページ、月紙面と日付紙面の併設冊子は印刷紙面６４−月紙面１２−日付紙面３１＝広告紙面２１ページで、広告掲載できる紙面スペース／印刷媒体スペースを確保する。
３６５枚の日めくりカレンダー製本にある広告紙面の媒体スペースは、３６５ページである。
仮に、1ページあたり４個の枠で会社／商店の商品／サービスの広告を割付し印刷すると、３３ページ×４社＝１３２個、５１ページで２０４個、２１ページで８４個、日めくり紙３６５ページ×４社では１４６０個の広告を１冊の印刷出版物に掲載することができる。
従来型の３６５枚綴じの日めくり製本は重厚で、製造費の増大、広告情報の陳腐化、顧客読者に長期間の疎遠を生じるので、年刊誌だけでなく、春夏秋冬の季刊誌、もしくは複数月または月刊の出版が望ましい。
【０００９】
仮に、広告１個あたりの広告料金を１万円とすると、２１ページで８４万円、３３ページで１３２万円、５１ページで２０４万円、８４ページで３３６万円、３６５ページで１４２０万円の広告料金収入を得るので、相当数量の印刷出版物を無償で頒布しても余りある。
【００１０】
よって、カレンダー紙面の裏紙面にある空白スペースを、広告産業の情報媒体に形成することで、広告スポンサーとその広告代理店／編集人に複数の広告を割り付けるための割付フォーマットを呈する。
【００１１】
カレンダー紙を媒介し宣伝ＰＲを図るメカニズムの広告媒体を形成するため、スポンサーの複数の広告をサイズやカテゴリ別に製本に割り付け掲載するためのレイアウトを定めるフレーム状の広告枠を複数配列する、広告の割付フォーマットを供する。
製本丁合のページ番号を用いて、広告枠にナンバリングして、版枠番号を持つことで、編集者のスムーズな製作工程と商品／著作権である広告コンテンツの出版管理を担保する。
前記印刷出版物の綴じ方向は、見易く読み易い、広告掲載姿勢を左右開き型に、暦数字の掲載姿勢を上下開き型にすることで、ユーザーや読者に呈される。
上記広告に１回でも反響または物品購入した読者に、翌年度版カレンダーを届ける。
【００１２】
例えば、印刷出版物の広告として、雑誌や書籍の広告を掲載する場合、広告の図書名／ＩＳＢＮ番号／著作者名／出版社名／内容説明／価格等を元に広告原稿を制作し、版枠番号に基づいて広告の割付フォーマット（layout format）を構成している広告枠に広告原稿を挿入することによって、版枠番号は新たな広告番号として表示される。さらにＩＳＢＮ番号等の書籍を識別する番号が表示された印刷出版物が形成される。これにより、書籍を識別するＩＳＢＮ番号または広告番号により商品を受発注することが可能となる。
【００１３】
印刷出版物に表示された広告番号や書籍を識別するＩＳＢＮ番号をインターネット配信することで、ユーザーはインターネット検索により該当する雑誌や書籍の印刷出版物もしくは電子出版物を購入できる。これにより、attention → interest → desire → memory → actionが実現される。さらには、卓上型や壁掛型のカレンダー紙の裏面に書籍著作者による図書販売イベントの招待チケットが印刷されてあれば、ユーザーにとってメリットとなる。
【００１４】
また、印刷出版物の広告として、企業や商店の求人募集広告を掲載する場合、広告スポンサーである企業商店の屋号・業種職務・採用条件・求人番号等を元に広告原稿を制作し、版枠番号に基づいて広告の割付フォーマット（layout format）を構成している広告枠に広告原稿を挿入する。よって、版枠番号は広告番号に変化することで表示され、さらに求人番号が表示された印刷出版物が形成される。これにより、広告番号または求人番号により求人情報を特定することが可能となる。
【００１５】
あらゆる企業が恒常的により良い人材を求めているので、求人募集広告の広告番号／求人番号をインターネット配信することで、該当する求人企業と求職者とをマッチングさせる。これにより、attention・interest・desire・memory・actionが実現される。さらには、カレンダー紙の裏面に求人広告代理店や職業紹介業者名が掲載されていれば、求人企業、並びに求職者／読者にとって更なるメリットとなる。
【００１６】
印刷出版物の綴じ部では、カレンダーの製造数量や広告内容、並びにスポンサーの趣向に応じて綴じ手段を選択する。金具や接着液を用いた無線綴じ、針金を用いた中綴じ、ワイヤーリングを用いた手段などを選択可能である。また、前記特許文献２の特許第５４１６８５５号に開示される壁掛型のファイルバインダー、並びに前記特許文献３の特許第５０２１０５９号に開示される卓上型のファイルバインダー（Ｃａｌｅｎｄａ ＨＡＮＧＡＲ／登録商標）を選択可能である。これらのファイルバインダーにおいては、ページの差し替えや、追加、抜き取りなどが容易に可能であるため、本発明の適用に好適である。
【００１７】
印刷出版物の紙加工として、製本を壁面に吊り下げるためのフック孔を設ける。また、フック孔より下方の紙面を切り取るための切取線（ミシン目）を設けることで、広告紙面に設けたクーポンや注文書を切り取り可能とする。
【００１８】
印刷出版物において、カレンダー紙面の暦数字と広告紙面の広告期日数字とを対応付けさせて、表裏面に掲載するよう割り付ける。さらには、読者が対応する暦数字の裏面に割付された広告のみを分離して切り取れるよう縦横の切取線（ミシン目）を設ける。例えば、当日に切り取った日めくりのカレンダー紙面の裏面に、当日または当月を期限とするチラシ、チケット、割引クーポン等の印刷があれば、ユーザーにとって更なるメリットとなる。
【００１９】
カレンダー紙面の暦数字に媒介させて宣伝ＰＲを図るメカニズムの広告媒体を形成するために、広告編集工程で、広告原稿に表示された広告期日数字とインターネットサーバーから配信される広告情報の広告期日数字とが対応するよう紙面に割り付けている。例えば、月めくりまたは日めくりのカレンダー紙面に対応する広告紙面に、企業や商店、団体の開店開業日、周年記念日、閉店廃業日である日付に対応したイベント情報を印刷掲載する。さらに、インターネットサーバーとスポンサー端末とユーザー側端末とを含む配信システムにおいて、インターネットサーバーに設けられたカレンダーデータ内の３６５個の暦数字のセルにもイベント情報を入力し、ユーザー端末から閲覧可能とする。それにより、印刷出版物とインターネット通信端末との両媒体から、顧客読者に対して共通したイベント情報とその期日を提供する。また、映画やコンサート予定日の広告を上述のように印刷出版物とインターネット通信端末との両媒体から提供してもよい。
【００２０】
印刷出版物と携帯端末で、当日を期限とするイベント情報をattentionして当該チケット予約券を切り取ってactionできれば、顧客読者にとってメリットとなる。
また、開店開業日・周年記念日・閉店廃業日の予定案内をネット掲載できて、卓上および壁掛カレンダー等の印刷出版物にも掲載できれば、広告スポンサーにとってメリットとなる。
なお、カレンダーを媒体にしたネット配信システム、および暦数字と広告の対応技術は、前記特許文献１の特許第５７２１１２０号（ＰＣＴ／ＪＰ２０１５／６７０９９）に開示されているので、ここでは詳細に述べない。
【発明の効果】
【００２１】
上記実施形態のカレンダー紙面と広告紙面とを割り付けるための印刷出版物の割付フォーマットを供することで、企業や商店の宣伝ＰＲのカタログや案内広告を容易に、廉価に印刷出版、配布できる。読者には安易に紛失・破棄され難い、長い期間で保存・記憶される広告を提供できる。顧客は、表紙面に煩わしい広告が載らない、有用な情報が載る、カレンダーを貰うことができる。
本発明の印刷出版物を綴じる手段として、印刷物の着脱交換が可能な前記特許文献に記載された卓上型や壁掛型の綴じ手段を採用すると、取引される広告製品の流通コストをも削減できる。
商品やサービス等の広告、例えば、書籍を案内する図書目録を印刷出版物の割付フォーマット上に割り付けするとともにインターネットサーバーを用いてインターネット配信することにより、共通する広告番号を使用して印刷出版物およびインターネット配信の両方での商取引ができる。
また、企業や商店などの開店開業日・周年記念日・閉店廃業日の記念イベント開催予定日を社会に広く案内広告する手段として、インターネット配信する広告と印刷配布する広告に同様に表示されるイベント開催日のカレンダー期日を共通の数字で露出するので、それぞれの媒体機能が相互に融通し補完されて、相乗効果のある、広告効果を得られる。
ついては、今日の通信技術と印刷技術の進歩のおかげで、カレンダー数字で媒介する出版と通信の広告技術を融合させた媒体の採用で、新しい広告産業市場を形成できる。
【図面の簡単な説明】
【００２２】
【図１】第１の実施形態に係る印刷出版物のカレンダー紙面および広告紙面の製本構成を示す図。
【図２】広告紙面の割付フォーマットを示す図。
【図３】カレンダー紙面と広告紙面のページレイアウトの一例を示す図。
【図４】第２の実施形態に係る印刷出版物において、カレンダー紙面の暦数字と広告期日数字とを対応させて表裏に印刷する例を示す図。
【図５】第３の実施形態に係る印刷出版物において、カレンダー紙面の暦数字と広告紙面の広告と切取線との関係を示す図。
【図６】印刷出版物の広告とネット配信される広告を暦数字で媒介させる配信システムを示す図。
【図７】割付フォーマットを用いて印刷出版物を割り付けする割付装置を概略的に示すブロック図。
【発明を実施するための形態】
【００２３】
以下、図面を参照しつつ、本発明の実施の形態について説明する。
【００２４】
印刷出版物、カレンダー紙面並びに広告紙面を形成する部品には同一符号を付している。
（第１の実施形態）
【００２５】
図１は、第１の実施形態に係るカレンダー紙面Ａおよび広告紙面Ｂの製本構成を示す図である。図１に示すように、印刷出版物１は、３２枚の紙の表裏６４ページに印刷を行い、製本されることにより構成される。印刷出版物１は、カレンダー紙面Ａおよび広告紙面Ｂにより構成される。広告紙面Ｂは、カレンダー紙面Ａの裏面、またはカレンダー紙面Ａが印刷されない紙の表裏両面に印刷される。カレンダー紙面Ａには、月めくりカレンダー紙面ＡＡと日めくりカレンダー紙面ＡＢの２種類があるが、月めくりカレンダー紙面ＡＡもしくは日めくりカレンダー紙面ＡＢのいずれかのみでカレンダー紙面を構成してもよいし、月めくりカレンダー紙面ＡＡと日めくりカレンダー紙面ＡＢの双方を使用してカレンダー紙面を構成してもよい。また、紙の枚数は３２枚に限られず、適宜変更してもよい。１２ヶ月分の月めくりカレンダー紙面を掲載するためには、少なくとも６枚（１２ページ）以上とすることが好ましい。なお、カレンダー紙面ＡＡまたはカレンダー紙面ＡＢの余白部分に広告を挿入することも可能である。印刷出版物１の例としては、冊子、雑誌、書籍等が挙げられる。
【００２６】
カレンダー紙面Ａの印字方向に合わせて印刷出版物１を見たときに、前記印刷出版物の上端を左端から右端まで横切る形で、ワイヤーリング型の綴じ部９００が設けられている。ワイヤーリング型の綴じ部９００は、らせん状に設けられたワイヤーが印刷出版物１の各紙面を貫通する複数の孔に挿入されることにより、印刷出版物１の一端を綴じて冊子状に構成する。綴じ部９００の形態は、ワイヤーリング型に限られない。例えば、特許文献２に記載の壁掛型のファイルバインダーや特許文献３に記載の卓上型のファイルバインダーを綴じ部９００として使用可能である。また、針金や糸を用いた中綴じや接着液を用いた無線綴じなど、既存の様々な綴じ部材を使用可能である。その他、既存の様々な綴じ方法を使用可能である。
【００２７】
綴じ部９００の下方であって綴じ部９００に隣接する位置には、フック孔８５０が設けられている。カレンダー紙面Ａの幅方向においては、フック孔８５０は中央付近に位置する。フック孔８５０は印刷製本物１を構成する全てのページにおいて同一の位置に設けられ、印刷製本物１が製本された際に全てのページを貫通するように構成されている。フック孔８５０を壁に設けられた突起等に挿入することにより、印刷出版物１を壁掛け可能にしている。フック孔８５０は１つであってもよいし、２つ以上であってもよい。また、フック孔８５０を設けない構成とすることも可能である。
【００２８】
フック孔８５０の下方であってフック孔８５０に隣接する位置には、切取線（ミシン目）８００が設けられている。切取線８００は、印刷出版物１の各ページに設けられ、紙面を一端から他端までを横切るように形成された断続的な切れ目である。切取線８００を境界として一方を押さえた状態で他方をめくる力を加えることにより、はさみを使用せずに印刷出版物１からページの一部を切り離すことができる。
【００２９】
カレンダー紙面ＡＡは月めくりのカレンダーであり、カレンダー紙面ＡＡは暦数字５００およびページ番号６００を有している。カレンダー紙面ＡＡの暦数字５００は、年、月の表示に加えて、１ヶ月分全ての日と曜日の表示を含んでいる。カレンダー紙面ＡＢは日めくりのカレンダーであり、カレンダー紙面ＡＢは暦数字５００およびページ番号６００を有している。カレンダー紙面ＡＢの暦数字５００は、１日分の月と日の表示を含んでいる。カレンダー紙面ＡＡおよびカレンダー紙面ＡＢの構成は上記の形態に限られず、既存の様々なカレンダーの表示形態を採用可能である。例えば、日めくりのカレンダー紙面ＡＢには、さらに曜日を表示してもよいし、月を表示せずに日付のみを表示してもよい。よって、日数字３１までを表示した紙面が回転するリング綴じ製本では、毎月／毎年度に繰り返し使用できる日めくりカレンダーとなる。
【００３０】
ページ番号６００は、印刷出版物１を構成する各ページに１つずつ付与された連続番号である。ページ番号６００は、丁合および製本された後の印刷出版物１において、カレンダー紙面Ａおよび広告紙面Ｂの区別なく、片面側の表紙から順に番号が連続するように各ページに付与されている。ページ番号６００は、カレンダー紙面Ａおよび広告紙面Ｂに対して、実際に印刷することは必須ではない。ただし、紙面に印刷しない場合であっても、図２に示す割付フォーマットＣの上では、ページ番号６００は各紙面に割り当てられている。さらに、複数ページに渡って同一番号や付属番号を付している。
【００３１】
広告紙面Ｂは、広告枠２００、版枠番号３００、およびページ番号６００を有している。    
広告枠２００は、割付装置Ｄ上で広告紙面Ｂの割付作業を行う際に割付フォーマットＣ上で広告を割り付けるフレームである。１つの広告枠２００に対して１つの広告が割り付けられる。１ページに複数の広告を割り付ける際は、複数の広告枠を配列する。広告枠の位置と大きさにより、各広告の位置と大きさが決定される。各広告枠２００には版枠番号３００が割り付けられる。版枠番号３００は、広告枠２００を特定するための番号であり、広告枠２００と版枠番号３００とは１対１で対応している。
【００３２】
広告スポンサーから広告の掲載依頼を受けた場合は、掲載を希望する位置の版枠番号３００を広告物１００の原稿に割り当てることにより、広告物１００を版枠番号３００に対応する位置の広告枠２００に配置する。つまり、版枠番号３００により、広告物１００を配置する広告枠２００を特定する。広告枠２００に広告物１００が割り付けられる（はめ込まれる）と、版枠番号３００は、広告番号４００として広告紙面Ｂに配置され、印刷されることとなる。つまり、版枠番号３００は、広告番号に４００に転換されて広告紙面Ｂに配置される。広告番号４００が印刷されることにより、印刷出版物１として発行された後であっても、掲載された広告を容易に特定することができる。
上述したように、複数の広告枠２００を配列することで、広告スポンサーから複数の広告掲載注文を受け付け可能としている。また、商品やサービスのラインアップを一覧で表示することを可能としている。よって、広告紙面Ｂは、カタログやガイドブックとして機能する。
【００３３】
ページ番号６００は、カレンダー紙面Ａと同様に、広告紙面Ｂにも付与されている。広告紙面Ｂにおいては、版枠番号３００の一部にページ番号６００を含ませるナンバリングによって、版枠番号３００とページ番号６００とが対応付けされている。そのため、製本後のページ番号６００を用いて広告枠２００をナンバリングすることができる。また、編集者（オペレーター）がスムーズに割付フォーマットＣに広告物１００を割り付けることができるとともに、広告物１００のコンテンツとしての管理を容易にすることができる。なお、ページ番号６００より容易にカレンダー紙面Ａを特定できるため、ページ番号６００を含む版枠番号３００により広告枠２００を特定することにより、カレンダー紙面Ａの暦数字と対応した内容の広告を広告紙面Ｂに割り付けることが可能となる。
【００３４】
１枚の広告紙面Ｂに複数の広告物１００を掲載する場合、フック孔８５０の直下の切取線８００に加えて、さらに切取線８００を追加してもよい。切取線８００を追加することにより、複数の広告物１００をそれぞれ別個に切り離すことができる。
【００３５】
図１の中段に示すように、広告紙面Ｂの印字方向に合わせて印刷出版物１を見たときには、製本の綴じ部９００が右側に配置され左右開きとなるような向きで広告紙面Ｂが印刷されている。つまり、広告紙面Ｂの広告物姿勢は左右開き綴じ型となっている。左右開きにすることにより、カタログ冊子を読むように、印刷出版物１の広告紙面Ｂのみを読むことが可能となる。なお、製本の綴じ部９００が左側に配置されるような向きで広告を印刷してもよい。
【００３６】
図１の下段に示すように、カレンダー紙面Ａの印字方向に合わせて印刷出版物１を見たときには、製本の綴じ部９００が上側に配置されて上下開きとなるような向きでカレンダー紙面Ａが印刷されている。つまり、カレンダー紙面Ａのカレンダー暦数字姿勢は上下開き綴じ型となっている。上下開きにすることにより、吊り孔９００を用いて壁に掛けたりしたときに壁掛けカレンダーとして機能する。
【００３７】
カレンダー紙面Ａは、種々の案内紙面に差し替えることが可能である。案内紙面は、例えば、反復または連載もしくは継続する内容の広告ガイド、カウントダウン数字、写真、地図、図面、図画、文章のうちのいずれかまたは複数から構成される。広告ガイドとは、広告代理店の広告募集または広告主が広告を掲載するための媒体である。カウントダウン数字とは、例えばオリンピックなどのイベントの開催日までの期日を１日ずつカウントダウンしていくための数字である。カウントダウン数字を写真等と組み合わせて案内紙面に掲載することにより、日めくりカレンダーと似たような機能を発揮することが可能となる。
【００３８】
図２は、広告紙面の割付フォーマットＣを示す図である。
割付フォーマットＣは、広告紙面Ｂの中でどの位置に何を配置するかといったページの体裁を決定するために予め準備されたフォーマットである。割付フォーマットＣは、割付装置（割付体裁装置：Ｌａｙｏｕｔ  ｆｏｒｍａｔ  ｄｅｖｉｃｅ）Ｄに保存され、割付装置Ｄ上で割付フォーマットＣに広告を割り当てることにより、広告紙面Ｂの配置が決定される。なお、割付装置Ｄは、割付フォーマットＣに広告Ａを割り付けることにより、ページ割付を行って印刷用データを作成するための装置である。ＤＴＰ（Ｄｅｓｋｔｏｐ  Ｐｕｂｌｉｓｈｉｎｇ）においては、コンピューター上で割り付け作業を行うため、コンピューターが割付装置Ｄとなる。また、既存の様々な組版装置が、割付装置Ｄに含まれる。割付装置Ｄについては後に詳しく説明する。
【００３９】
図２に示す割付フォーマットＣは、１枚の紙面に４つの広告を割り付けるためのものであり、広告を割り付けるための広告枠２００が４つ配置される。各広告枠２００には、広告枠を特定するための版枠番号３００が付与される。さらに割付フォーマットＣには、ページを特定するためのページ番号６００、広告と連携するウェブサイトのネットアドレス７００、各広告を切り離すための切取線８００、フック孔８５０も配置される。
【００４０】
図２に示す割付フォーマットＣの左下の広告枠２００は、広告スポンサーの広告物１００が広告枠２００に割り付けられた状態を示す。広告物１００を掲載する位置の版枠番号３００を広告物１００に割り当てることにより、対応する版枠番号３００を有する広告枠２００に広告物１００が割り付けられる。広告枠２００に広告物１００が割り付けられると、版枠番号３００は、広告番号４００として割付フォーマットＣ上に表示される。
なお、１ページに掲載する広告の数や位置は、図２の例に限定されない。また、様々な大きさの広告枠２００を組み合わせて配置することも可能である。
【００４１】
広告物１００の一例としては、雑誌や書籍の広告が考えられる。この場合、広告の図書名／ＩＳＢＮ番号／著作者名／出版社名／内容説明／価格等を元に広告原稿を制作する。制作された広告原稿は、版枠番号３００に基づいて割付フォーマットＣの広告枠２００に挿入される。版枠番号３００が広告番号４００として表示されるとともに、ＩＳＢＮ番号等の書籍を識別する番号が表示された印刷出版物１が形成される。これにより、書籍を識別するＩＳＢＮ番号または広告番号によりユーザーが商品を受発注することが可能となる。
【００４２】
広告物１００の他の一例としては、企業や商店の求人募集広告が考えられる。この場合、広告スポンサーである企業商店の屋号・業種職務・採用条件・求人番号等を元に広告原稿を制作する。制作された広告原稿は、版枠番号３００に基づいて割付フォーマットＣの広告枠２００に挿入される。版枠番号３００が広告番号４００として表示されるとともに、求人番号が表示された印刷出版物１が形成される。これにより、広告番号または求人番号により求人情報を特定することが可能となる。
【００４３】
広告物１００の他の一例としては、企業や商店に発生する開店開業日、周年記念日、閉店廃業日等のイベント情報が考えられる。この場合、イベントの期日と当該期日に行われるイベント情報を元に広告原稿を制作する。
【００４４】
図３は、カレンダー紙面Ａと広告紙面Ｂのページレイアウトの一例を示す。
図３に示すように、Ｐ１は広告紙面Ｂの表紙であり、Ｐ６４はカレンダー紙面Ａの表紙である。印刷出版物１の前後にそれぞれ表紙が設けられ、前後いずれの側からも開始する冊子として構成される。広告紙面Ｂの表紙は、印刷出版物１の綴じ部９００が左側に配置される向きで印刷されている。そのため、広告紙面Ｂの表紙側から印刷出版物１を見たときには、印刷出版物１は左右開きの製本となる。なお、印刷出版物１を１８０°回転させて、綴じ部９００を右側に配置してもよい。カレンダー紙面Ａの表紙は、製本の綴じ部９００が上側に配置される向きで印刷されている。そのため、カレンダー紙面Ａの表紙側から印刷出版物１を見たときには、印刷出版物１は上下開きの製本となる。
【００４５】
Ｐ３〜Ｐ６１の奇数ページには、１日から３０日までの日めくりのカレンダー紙面ＡＢが印刷される。日めくりのカレンダー紙面ＡＢは製本の綴じ部９００が上側に配置される向きで印刷されている。なお、Ｐ６３には広告紙面Ｂが印刷されているが、日めくりのカレンダー紙面ＡＢを３１日まで印刷する場合は、Ｐ６３は３１日目のカレンダー紙面となる。Ｐ２〜Ｐ３８の偶数ページには、広告紙面Ｂが印刷される。本実施例においては、各紙面に４つの広告が印刷されている。広告紙面Ｂは製本の綴じ部９００が左側に配置される向きで印刷されている。Ｐ４０〜Ｐ６２の偶数ページには、月めくりのカレンダー紙面ＡＡが印刷される。月めくりのカレンダー紙面ＡＡは製本の綴じ部９００が上側に配置される向きで印刷されている。
【００４６】
以上のように印刷、丁合、製本を行うことにより、見開きの２ページの組み合わせは、日めくりのカレンダー紙面ＡＢと広告紙面Ｂ、月めくりのカレンダー紙面ＡＡと広告紙面Ｂ、もしくは日めくりのカレンダー紙面ＡＢと月めくりのカレンダー紙面ＡＡのうちのいずれかとなる。つまり、広告紙面Ｂは、カレンダー紙面ＡＡまたはカレンダー紙面ＡＢの裏面に印刷される。なお、表裏両面に広告紙面Ｂが形成されることがあってもよい。
【００４７】
Ｐ２から順に左右開きの冊子として偶数ページのみを見ていくと、印刷出版物１は広告紙面Ｂが連続して印刷されたカタログ冊子として機能する。Ｐ３から順に上下開きの冊子として奇数ページのみを見ていくと、印刷出版物１は日めくりカレンダーとして機能する。Ｐ６２から逆順に上下開きの冊子として偶数ページのみを見ていくと、印刷出版物１は月めくりカレンダーとして機能する。
【００４８】
図７は、割付フォーマットＣを用いて印刷出版物１に複数個の広告物データをレイアウトする割付装置Ｄを概略的に示すブロック図である。割付装置Ｄは、割付フォーマットＣなどを保存する保存部Ｄ１、オペレーターの入力操作を受け付ける入力受付部Ｄ２、保存や入力などを制御する制御部Ｄ３、印刷装置など外部機器への出力を行う出力部Ｄ４を備える。保存部Ｄ１には、予めカレンダー紙面Ａや広告枠２００などを割り付けた割付フォーマットＣが保存される。割付フォーマットＣを複数保存しておくことで、作成する印刷出版物１のページ数や広告内容などに応じて、任意の割付フォーマットＣを選択することが可能となる。保存されている割付フォーマットＣを編集することにより、割付フォーマットＣの体裁を変更することや新しい割付フォーマットＣを保存することも可能である。保存部Ｄ１は、例えば、ＲＡＭやＲＯＭなどのメモリ装置やハードディスクのような外部記憶装置などにより構成される。
【００４９】
広告スポンサーからの広告注文を受けた場合、オペレーターは割付装置Ｄに対してキーボードやマウスなどの入力装置を使用して入力受付部Ｄ２に対してデータ入力操作を行うことにより、割付フォーマットＣに広告物１００を割り付ける。上述したように、版枠番号３００により広告物１００を配置する広告枠２００を特定することができるので、オペレーターは広告物１００に版枠番号３００を割り振るだけで、制御部Ｄ３により広告物１００が該当する広告枠２００に割り付けられる。制御部Ｄ３は、例えば、コンピューターのＣＰＵなどにより構成される。広告物１００が割り付けられた割付フォーマットＣは印刷用データとして保存部Ｄ１に保存され、必要に応じて出力部Ｄ４から印刷機等に出力される。
（第２の実施形態）
【００５０】
図４は、第２の実施形態に係る印刷出版物２において、カレンダー紙面Ｂの暦数字と広告期日数字とを対応させて表裏に印刷する例を示す図である。第２の実施形態は、針金を用いた中綴じの印刷出版物２に対して、綴じ部９００として特許文献２に示す壁掛用のファイルバインダーを使用する例により説明する。
【００５１】
第２の実施形態は、中綴じの製本であるため、Ｐ１とＰ６４を同一の紙に印刷し、それぞれのページの裏面にＰ２とＰ６３を印刷する。以降同様に、Ｐ３とＰ６２、それぞれのページの裏面にＰ４とＰ６１というように紙面を構成する。印刷後に各紙面を重ね、中央で折り返し、針金等で綴じることにより印刷製本物２が構成される。偶数ページにカレンダー紙面ＡＢ、奇数ページに広告紙面Ｂを割り付けることにより、日めくりのカレンダー紙面ＡＢの裏面に広告紙面Ｂが印刷される構成としている。両面に広告紙面Ｂが印刷される紙面があってもよい。
【００５２】
印刷出版物２には切取線８００を設け、ページの一部を切り取ることを可能にしている。広告紙面ＡＢには、第１の実施形態で説明された表示に加えて、広告期日数字５５０が印刷される。広告期日数字５５０とは、例えば、商品やサービスの販売日や発表日であったり、求人広告における人材の募集期限であったり、店舗における周年記念日などのイベント情報であったりする。また、広告期日数字５５０は、割引券の有効期限であってもよい。広告紙面Ｂに表示される広告期日数字５５０とカレンダー紙面ＡＢに表示される暦数字５００とを対応付けする。広告期日数字５５０と暦数字５００とを同一日として対応付けしてもよいし、広告期日数字５５０よりも一定期間前の日付と暦数字５００とを対応付けしてもよい。広告期日数字５５０と暦数字５００とが対応付けされていることにより、ユーザーが暦に対応した広告を目にする機会が増加する。また、切取線８００によりページが切り取り可能となっているため、暦に対応した広告物１００を切り取って使用可能となる。
（第３の実施形態）
【００５３】
図５は、第３の実施形態に係る印刷出版物３において、カレンダー紙面の暦数字と広告紙面の広告と切取線との関係を示す図である。図５に示す例では、綴じ部９００として特許文献３に示す卓上型のファイルバインダーを使用している。
【００５４】
第３の実施形態では、月めくりのカレンダー紙面Ａａまたは、日めくりのカレンダー紙面ＡＢの裏面に広告紙面Ｂが印刷される構成としている。印刷した紙面を８つに切ることにより、１枚の紙から８つのカレンダー紙面ＡＡまたは日めくりのカレンダー紙面Ａｂを作成する。８つに切り取られた各カレンダー紙面の上部には、２つのフック孔８５０が設けられ、各紙面がファイルバインダーに取り付け可能としてある。各紙面の裏面には、４つの広告枠２００が配置され、１枚の紙について４つの広告物１００を掲載可能としている。また、それぞれの広告枠２００を個別に切り離せるように、縦横に紙面の一端から他端までを横切る切取線８００を設ける。切取線８００により、広告毎に紙面を切り取ることができる構造とする。
【００５５】
第２の実施例と同様に、広告紙面に表示される広告期日数字５５０とカレンダー紙面Ａａまたはカレンダー紙面Ａｂに表示される暦数字５００とを対応付けする。広告期日数字５５０と暦数字５００とが対応付けされていることにより、ユーザーが暦に対応した広告を目にする機会が増加する。また、切取線８００によりページが切り取り可能となっているため、暦に対応した広告物１００を切り取って使用可能となる。
（第４の実施形態）
【００５６】
図６は、印刷出版物１の広告とネット配信される広告を暦数字で媒介させる配信システム（ｗｅｂ配信システム）Ｓを示す図である。配信システムＳは、印刷出版物１、インターネットサーバー７２０、スポンサー側端末７４０、およびユーザー側端末７６０により構成される。
【００５７】
インターネットサーバー７２０は、ネットワークＮに接続するためのネットワークインターフェース、カレンダーデータ等を保存するための記憶部、およびインターフェースや記憶部を制御する制御部等を有する。インターネットサーバー７２０は、ネットワークＮを介してスポンサー側端末７４０およびユーザー側端末７６０からのアクセスを受け付ける。
【００５８】
サーバー管理者は、インターネットサーバー７２０の記憶部にカレンダーデータを設ける。カレンダーデータは、３６５個の暦数字と、各暦数字に対応したイベント情報を入力可能なセルを有する。サーバー管理者は、広告スポンサーに対して、カレンダーデータにイベント情報を入力する権限を与える。
【００５９】
スポンサー側端末７４０は、ネットワークＮに接続するためのネットワークインターフェース、広告スポンサーの操作を受け付ける入力受付部、および上記各部を制御する制御部等を有する。権限を与えられた広告スポンサーは、ネットワークＮを介して、スポンサー側端末７４０から、インターネットサーバー７２０に記憶されたカレンダーデータに周年記念日など印刷出版物１の広告紙面Ｂに対応したイベント情報を入力する。
【００６０】
印刷出版物１の広告紙面Ｂには、ネットアドレス７００が印刷される。ユーザー側端末７６０は、ネットワークＮに接続するためのネットワークインターフェース、ユーザーの操作を受け付ける入力受付部、および上記各部を制御する制御部等を有する。ユーザーは、ユーザー側端末７６０にネットアドレス７００を入力することにより、ネットワークＮを介してインターネットサーバー７２０に設けられたカレンダーデータを閲覧することができる。カレンダーデータには、スポンサー側端末７４０から入力されたイベント情報が表示されている。これにより、ユーザーはユーザー側端末７６０において、広告紙面Ｂに対応したイベント情報を閲覧することができる。
【００６１】
第２の実施例や第３の実施例と同様に、広告紙面Ｂに表示される広告期日数字５５０とカレンダー紙面ＡＡまたはカレンダー紙面ＡＢに表示される暦数字５００とを対応付けする。また、カレンダー紙面Ａに表示される広告の内容とカレンダーデータに入力されたイベント情報とを対応付けする。さらに、イベント情報の期日とカレンダー紙面の暦数字とカレンダーデータの暦数字とを相互に対応付けする。
上記により、広告紙面Ｂに掲載された広告物１００を見て興味を持ったユーザーがネットワークＮ経由でカレンダーデータにアクセスし、広告物１００に関してより詳細な情報を得ることができる。また、広告紙面Ｂに割引券などを含めておくことにより、ユーザーは該当する広告紙面Ｂを切り取ってイベントに参加することが可能となる。
【００６２】
印刷出版物１に印刷された広告番号４００を広告取引および商品取引の商品受発注番号としてインターネットサーバー７２０に掲載してもよい。これにより、ユーザー側端末７６０からインターネットサーバー７２０を閲覧する際に、印刷出版物１の広告紙面Ｂに掲載された広告物や商品の広告番号４００からインターネットサーバー７２０上の商品受発注番号を特定することができる。
【００６３】
カレンダーデータに入力する情報は、イベント情報に限られない。印刷出版物１に掲載した様々な広告に関連する情報をカレンダーデータに入力して、ユーザーに閲覧させることが可能である。例えば、雑誌や書籍の広告や求人募集広告に関連する情報を入力することも有益である。なお、印刷出版物１のみでなく、印刷出版物２や印刷出版物３に関する情報を入力することも可能である。
【符号の説明】
【００６４】
Ａ…カレンダー紙面、ＡＡ…月めくりカレンダー紙面、ＡＢ…日めくりカレンダー紙面、
Ｂ…広告紙面、Ｄ…割付装置、Ｎ…ネットワーク、Ｓ…配信システム、
１００…広告物、２００…広告枠、３００…版枠番号、４００…広告番号、
５００…暦数字、５５０…広告期日数字、６００…ページ番号、
７００…ネットアドレス、７２０…インターネットサーバー、７４０…スポンサー側端末、７６０…ユーザー側端末、８００…切取線、８５０…フック孔、９００…綴じ部
【要約】
【課題】企業商店の商品やサービスの広告は、顧客や読者に容易に届かない。労して届けた広告は長期間保存されずに紛失破棄されmemoryされ難い。従来のマスコミ4媒体は費用対効果に乏しく、ネット媒体はattentionが難しい。個々の広告物を印刷媒体とネット媒体に連結し露出してactionさせる広告技術が求められる。
【解決手段】暦数字を広告媒体に捉えて広告とカレンダーの紙面を表裏一体で印刷出版し、カレンダー紙面裏の空白紙面に広告を募集し割付できるよう、ページ数字または暦数字を含む広告枠組の連合広告割付フォーマットを設ける。良好な顧客関係を保つ情報媒体であるcatalog calendar(登録商標)を作成し製本できるよう新規の広告用具を供する。
広告枠に挿入された版枠番号が広告番号、商品サービス番号に転換し、暦数字と広告期日数字を表裏紙面とネット上に対応させて掲載し、スムーズな編集技術で印刷出版、ネット配信、情報管理、商取引を担保する。
【選択図】図２【図７】
0006052838.tif 000002
【図１】
0006052838.tif 000003
【図２】
0006052838.tif 000004
【図３】
0006052838.tif 000005
【図４】
0006052838.tif 000006
【図５】
0006052838.tif 000007
【図６】
0006052838.tif 000008